(57)【要約】【課題】記録媒体カートリッジのシャッターハーフの内面に貼り付けられたライナーにダメージを与えることなく効率良くクリーニングすることができるライナーのクリーニング装置を提供する。【解決手段】  シャッターハーフ７Ｕ，７Ｄをそれぞれ取り付けたシェルハーフ３，４を、このシェルハーフ３，４とシャッターハーフ７Ｕ，７Ｄとがそれぞれ個別に吸着固定される態様でライナー１３を上方に向けて収容する凹部２１，２２を備えた支持台２０と、ライナー１３の表面に対して加圧エアを斜めに吹き付ける噴出ノズル３１と、ライナー１３から除去された塵埃を含むエアを吸引する吸引ノズル３２とをクリーニング装置が備える。【選択図】        図１
2006172599.tif 000002
【特許請求の範囲】
【請求項１】
内蔵する円盤状の記録媒体に対するアクセス用開口部をそれぞれ備えた上下シェルハーフの接合により形成された扁平なハウジングと、前記アクセス用開口部を開閉すべく前記ハウジングに移動可能に取り付けられたシャッタとを有し、該シャッタが、前記上シェルハーフの内面に移動可能に取り付けられた上シャッターハーフと、前記下シェルハーフの内面に移動可能に取り付けられた下シャッターハーフとからなり、前記上下シャッターハーフの前記記録媒体に対向する内面にそれぞれライナーが貼付されて構成される記録媒体カートリッジのための前記ライナーのクリーニング装置であって、
前記シャッターハーフを取り付けた前記シェルハーフを、該シェルハーフと前記シャッターハーフとがそれぞれ個別に吸着固定される態様で前記ライナーを上方に向けて支持する支持台と、前記ライナーの表面に対して加圧エアを斜めに吹き付ける噴出ノズルと、前記ライナーから除去された塵埃を含むエアを吸引する吸引ノズルとを備えていることを特徴とする、記録媒体カートリッジのライナーのクリーニング装置。
【請求項２】
前記支持台上に、前記シャッターハーフを取り付けた前記シェルハーフを収容する凹部が形成されているとともに、該凹部の一部に、該凹部内に収容されている前記シェルハーフの、前記シャッターハーフにより閉塞された前記アクセス用開口部に対向して該シャッターハーフを支持する凸部が形成され、前記凹部の底面および前記凸部の上面に、前記シェルハーフおよび前記シャッターハーフをそれぞれ吸着固定し得る吸盤が設けられていることを特徴とする請求項１記載のクリーニング装置。
【請求項３】
前記支持台が水平方向に移動可能に構成されていることを特徴とする請求項１または２記載のクリーニング装置。
【請求項４】
前記噴出ノズルから噴出するエアの風速が２０ｍ/秒以上に設定され、前記吸引ノズルの吸引圧力が０．５〜１０ｋPaの範囲内に設定されていることを特徴とする請求項１から３のいずれか１項記載のクリーニング装置。
【請求項５】
前記噴出ノズルが、前記ライナーの表面に対し３ｍｍ以内に近接して細幅の加圧エアを吹き付けるものであることを特徴とする請求項１から４のいずれか１項記載のクリーニング装置。
【発明の詳細な説明】
【技術分野】
【０００１】
本発明は、内蔵する円盤状の記録媒体に対するアクセス用開口部をそれぞれ備えた上下シェルハーフの接合により形成された扁平なハウジングと、上記アクセス用開口部を開閉すべくハウジングに移動可能に取りつけられたシャッタとを有する記録媒体カートリッジの製造工程で用いられるクリーニング装置に関し、特に、上記シャッタが、上記上シェルハーフの内面に移動可能に取り付けられた上シャッターハーフと、上記下シェルハーフの内面に移動可能に取り付けられた下シャッターハーフとからなり、上下シャッターハーフの記録媒体に対向する内面にそれぞれライナーが貼付されてなる記録媒体カートリッジのためのライナーのクリーニング装置に関するものである。
【背景技術】
【０００２】
従来より、デジタルカメラ等のモバイル機器においては、記録媒体として、「ｃｌｉｋ！（登録商標）」と呼ばれる超小型の記録媒体カートリッジが使用されている（特許文献１）。
【０００３】
この記録媒体カートリッジ１は、図５（斜視図）および図６（ａ），（ｂ）（平面図および底面図）に示すように、ドライブ装置に押込み装填するときに指を当てる押込み部２ａを含む、スタビライザと呼ばれる樹脂製のフレーム２と、このフレーム２に嵌合された金属薄板(厚さ０．３ｍｍのステンレス鋼板)からなる平坦な主面を備えた上シェルハーフ３および下シェルハーフ４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）のディスク状磁気記録媒体５を回転自在に収容している。磁気記録媒体５の中央には、中心孔１０ａを備えたセンターハブ（センターコア）１０が固着されている。
【０００４】
この記録媒体カートリッジ１は、幅５３ｍｍ、奥行き８５ｍｍ、厚さ５ｍｍの外寸を有するＴＹＰＥII  ＰＣカード型のドライブ装置（図略）が備えているスロットに挿入形式でローディングされるように構成され、そのハウジングには、上記ドライブ装置が備えている記録再生用磁気ヘッドを磁気記録媒体５の表面にアクセスさせるためのＶ字状の開口部６が形成され、さらに、ハウジングと磁気記録媒体５との間には、上記開口部６を回転式に開閉するための、開口部７ａを備えたロータリーシャッタ７が介装されている。
【０００５】
このロータリーシャッタ７は、図示しないバネ部材によって閉方向に付勢され、かつ上シェルハーフ３に取り付けられている図示しないロック部材により閉位置にロックされるように構成されている。
【０００６】
なお、図５および図６（ａ），（ｂ）は、ロータリーシャッタ７の開口部７ａがハウジング内に潜入して、ロータリーシャッタ７がハウジングの開口部６を閉じている状態、すなわち閉位置にある状態を示している。
【０００７】
ロータリーシャッタ７は、図６（ｂ）の７−７線に沿った要部拡大断面図である図７に示すように、周壁部において互いに嵌合されたアルミニウム薄板製の上下シャッターハーフ７Ｕ，７Ｄからなり、上シャッターハーフ７Ｕは、上シェルハーフ３の下面から内方へ突出する小径の円筒体３ａによって回転可能に軸支され、円筒体３ａの先端には、上シャッターハーフ７Ｕが円筒体３ａからの抜け出すのを防止するためのセンタピンと呼ばれる抜止め部材１１が溶接されて、センターハブ１０の中心孔１０ａ内に介入している。上下シャッターハーフ７Ｕ，７Ｄの内面には、磁気記録媒体５の表面を清掃するための不織布からなるライナー１３がそれぞれ貼り付けられている。
【０００８】
下シェルハーフ４の中央部には、センターハブ１０を外部に臨ませる円形の開口４ａが形成され、下シャッターハーフ７Ｄの中心部には、下シェルハーフ４の開口４ａの周縁に遊嵌される大径の円筒体７Ｄａが下方へ向かって突設されて、この円筒体７Ｄａによって下シャッターハーフ７Ｄが下シェルハーフ４に回転可能に支持されているとともに、円筒体７Ｄａの先端部がカシメられて、下シャッターハーフ７Ｄが下シェルハーフ４からの抜け出すのを防止するフランジ１２が形成されている。
【０００９】
さらに下シェルハーフ４には、図６（ｂ）から明らかなように、ロータリーシャッタ７と同心的な円弧状開口部４ｂが形成され、下シャッターハーフ７Ｄには、上記円弧状開口部４ｂから突出しかつこの円弧状開口部４ｂに沿って移動してロータリーシャッタ７を開閉するシャッターノブ７ｂが固設されている。そして、ドライブ装置に対する記録媒体カートリッジ１のローディング動作（押込み動作）に伴って、ロック部材によるロータリーシャッタ７の閉位置でのロックが解除されて、ロータリーシャッタ７が回動可能になるとともに、ドライブ装置が備えている係合壁面がシャッターノブ７ｂに係合して、ロータリーシャッタ７がその開口７ａを上下シェルハーフ３，４の開口６にほぼ一致させる開位置まで約６０°回転されることにより、図８（ａ），（ｂ）（平面図および底面図）に示すように、磁気記録媒体５がハウジングの開口部６から露出された状態でドライブ装置に装填される。
【００１０】
また、ドライブ装置に装填された記録媒体カートリッジ１は、これをさらにドライブ装置側に押すことにより、ドライブ装置との係合が外れてドライブ装置からの排出が可能になり、図示しないバネ部材によってロータリーシャッタ７が図６（ａ），（ｂ）に示す閉位置に復帰するように構成されている。
【００１１】
上下シェルハーフ３，４は、図７の右端に示すように双方の周壁３ｓ，４ｓのエッジ同士を互いに突き合わせ、この突合せ線に沿った１３箇所の溶接部Ｗにおけるレーザービームを用いたスポット溶接により組み立てられる。
【００１２】
ところで、上記のようなライナー１３は、上述のように、記録媒体の表面に付着した塵埃を拭き取り除去する機能があり、重要な部品であるが、近年記録媒体の記録容量が飛躍的に増大するのに伴って、記録媒体の回転速度が高速化するとともに高記録密度化し、記録媒体カートリッジの使用中にライナー自体から塵埃が発生し、この塵埃が記録再生中のヘッドと記録媒体との間に噛み込むことによって記録面が損傷したりドロップアウト等の問題を生じたりすることがある。
【００１３】
このライナーから発生する塵埃は、その製造過程においてライナー中に保持された固定不十分な繊維屑または粉体などであり、これが記録媒体カートリッジの組立て時または使用時にライナーから離脱して記録媒体に付着し、前述のようにドロップアウトの発生原因となることから、記録媒体カートリッジの組立て工程においてライナーのクリーニングを行なって塵埃を除去することが知られている。
【００１４】
本発明者は先に、直径３．５インチ（約８９ｍｍ）のフロッピー（登録商標）ディスクを備えた磁気ディスクカートリッジのためのライナーのクリーニング装置を提案した（特許文献２）。このクリーニング装置は、ライナーを内面に貼り付けたシェルハーフを搬送しつつ、ライナーの表面に近接して細幅の加圧エアを斜めに吹き付ける噴出ノズルと、除去した塵埃を含むエアを吸引する吸引ノズルとを備えた構成を有する。
【特許文献１】米国特許第６,１３３,５４４号明細書
【特許文献２】特開２００２−７４８８８号公報
【発明の開示】
【発明が解決しようとする課題】
【００１５】
ところで、図５〜図８を参照して説明した「ｃｌｉｋ！（登録商標）」等のような最新の超小型の記録媒体カートリッジの場合、ライナー１３は上シャッターハーフ７Ｕおよび下シャッターハーフ７Ｄの裏面にそれぞれ貼り付けられ、この上シャッターハーフ７Ｕおよび下シャッターハーフ７Ｄがそれぞれ上シェルハーフ３および下シェルハーフ４に中心軸の周りで回転可能に取り付けられているため、その状態でライナー１３のクリーニングを行なわなければならない。すなわち、上シャッターハーフ７Ｕを回転可能に取り付けた上シェルハーフ３と、上シャッターハーフ７Ｄを回転可能に取り付けた下シェルハーフ４とをそれぞれ個別にクリーニング装置に固定してクリーニングを行なうことになる。
【００１６】
ところが、この状態のままでライナー１３のクリーニングを行なうと、シャッターハーフ７Ｕ，７Ｄ中心軸を支点として傾いて、エア噴出ノズルおよび吸引ノズルとライナーの表面との間隔がライナーの部位によって異なることになる。そのため、クリーニングむらを生じたり、上記間隔が狭過ぎる部位ではライナーにダメージを与えたり、あるいはシャッターハーフの一部がエア噴出ノズルと干渉する等の問題が生じる。したがって、上記間隔を広げざるを得なくなり、クリーニング効率の低下を招く。
【００１７】
また、特許文献２には、吸引によるライナーの浮き上がりを防止するために、シェルハーフの上面に設けた保護部材が開示されているが、金属製のシェルハーフの場合、保護部材との相互干渉で傷等が生じて塵埃発生の要因にもなり得るのみでなく、上方に保護部材を設けると、その保護部材によってライナーの一部が遮蔽されてやはりクリーニング効率の低下を招く。
【００１８】
上述の事情に鑑み、本発明は、シャッターハーフの内面に貼り付けられたライナーにダメージを与えることなく効率良くクリーニングすることができる記録媒体カートリッジのためのライナーのクリーニング装置を提供することを目的とするものである。
【課題を解決するための手段】
【００１９】
本発明は、内蔵する円盤状の記録媒体に対するアクセス用開口部をそれぞれ備えた上下シェルハーフの接合により形成された扁平なハウジングと、上記アクセス用開口部を開閉すべくハウジングに移動可能に取り付けられたシャッタとを有し、このシャッタが、上シェルハーフの内面に移動可能に取り付けられた上シャッターハーフと、下シェルハーフの内面に移動可能に取り付けられた下シャッターハーフとからなり、これら上下シャッターハーフの上記記録媒体に対向する内面にそれぞれライナーが貼付されて構成される記録媒体カートリッジのための上記ライナーのクリーニング装置であって、
シャッターハーフをそれぞれ取り付けた各シェルハーフを、このシェルハーフとシャッターハーフとがそれぞれ個別に吸着固定される態様で上記ライナーを上方に向けて支持する支持台と、上記ライナーの表面に対して加圧エアを斜めに吹き付ける噴出ノズルと、上記ライナーから除去された塵埃を含むエアを吸引する吸引ノズルとを備えていることを特徴とするものである。
【００２０】
本発明の一つの態様によれば、上記支持台上に、シャッターハーフを取り付けたシェルハーフを収容する凹部が形成されているとともに、この凹部の一部に、この凹部内に収容されているシェルハーフの、上記シャッターハーフにより閉塞されたアクセス用開口部に対向してこのシャッターハーフを支持する凸部が形成され、上記凹部の底面および上記凸部の上面に、シェルハーフおよびシャッターハーフをそれぞれ吸着固定し得る吸盤が設けられている。
【００２１】
上記支持台は水平方向に移動可能に構成されていることが好ましい。また、上記噴出ノズルから噴出するエアの風速が２０ｍ/秒以上に設定され、上記吸引ノズルの吸引圧力が０．５〜１０ｋPaの範囲内に設定されていることが好ましい。そして、上記噴出ノズルが、ライナーの表面に対し３ｍｍ以内に近接して細幅の加圧エアを吹き付けるものであることが好ましい。
【発明の効果】
【００２２】
本発明のクリーニング装置によれば、各シャッターハーフを取り付けた各シェルハーフを、このシェルハーフとシャッターハーフとがそれぞれ個別に吸着固定される態様で上記ライナーを上方に向けて支持する支持台を備えていることにより、各シャッターハーフを傾くことなく支持することができるから、エア噴出ノズルおよび吸引ノズルとライナーの表面との間隔が一定になり、これによって、クリーニングむらを生じたり、ライナーがダメージを受けたりすることを防止することができる。
【００２３】
また、シェルハーフが吸盤により支持台の凹部内に吸着固定され、シャッターハーフが、凹部内に収容されているシェルハーフの、シャッターハーフにより閉塞されたアクセス用開口部に対向する凸部上に吸盤により吸着固定されるから、シェルハーフおよびシャッターハーフを上方から押さえる押さえ部材等を設ける必要がなくなり、ライナーの一部が押さえ部材または保護部材等によって遮蔽されることによるクリーニング効率の低下を防止することもできる。
【００２４】
さらに、シェルハーフを凹部内に吸着固定した支持台を搬送しつつライナーの表面に３ｍｍ以内に近接して細幅の加圧エアを斜めに吹き付ける噴出ノズルと、除去した塵埃を含むエアを吸引する吸引ノズルとによりライナーのクリーニングを行なうことにより、ライナーの表面のみでなく、ライナーの内部に保持されている繊維屑、粉体等の塵埃についても除去することができる。
【発明を実施するための最良の形態】
【００２５】
以下、本発明によるライナーのクリーニング装置を、図５〜図８を参照して説明した「ｃｌｉｋ！（登録商標）」と呼ばれる超小型の磁気ディスクカートリッジの製造に適用した場合について説明する。
【００２６】
図１は本発明によるライナーのクリーニング装置の原理的な説明図である。
【００２７】
クリーニングユニット３０は、ライナー１３の表面に対し加圧エアを斜めに吹き付ける噴出ノズル３１を備えたエアナイフＡＮと、吸引ノズル３２とを備えている。
【００２８】
上述のように、内面にライナー１３を貼り付けた上シャッターハーフ７Ｕは上シェルハーフ３に回転可能に軸支され、また、内面にライナー１３を貼り付けた下シャッターハーフ７Ｄは下シェルハーフ４に回転可能に軸支されているので、以後、上シェルハーフ３と、この上シェルハーフ３に回転可能に軸支された、ライナー１３を備えた上シャッターハーフ７Ｕとからなるユニットを上シェルハーフ・ユニット１５Ｕと呼び、下シェルハーフ４と、この下シェルハーフ４に回転可能に軸支された、ライナー１３を備えた下シャッターハーフ７Ｄとからなるユニットを下シェルハーフ・ユニット１５Ｄと呼ぶことにする。
【００２９】
上シェルハーフ・ユニット１５Ｕおよび下シェルハーフ・ユニット１５Ｄは、移動可能な支持台２０上に形成された凹部２１、２２内にライナー１３を上に向けてそれぞれ収容される。凹部２１、２２の一部には凸部２３または２４が形成されており、この凸部２３または２４は、上シェルハーフ３または下シェルハーフ４のアクセス用開口部６内に係入し得る平面形状と、閉位置に保持された上シャッターハーフ７Ｕまたは下シャッターハーフ７Ｄを水平に支持し得る高さとを備えている。
【００３０】
そして、凹部２１、２２の底面に上下シェルハーフ３，４をそれぞれ真空吸着させ、かつ凸部２３，２４の上面に上下シャッターハーフ７Ｕ，７Ｄをそれぞれ真空吸着させた状態で、支持台２０を図１の左方に搬送しながらクリーニングユニット３０を動作させて、ライナー１３の表面に３ｍｍ以内に近接した噴出ノズル３１から加圧エアを斜めに吹き付けてライナー１３をクリーニングし、同時にライナー１３から除去された塵埃を含むエアを吸引ノズル３２で吸引するように構成されている。
【００３１】
支持台２０の搬送は、１軸のロボット等で行ない、１回から複数回のクリーニングを行なう。なお、支持台を冶具付きベルト等で駆動してもよい。
【００３２】
図２は、上記支持台２０に形成されている、上シェルハーフ・ユニット１５Ｕおよび下シェルハーフ・ユニット１５Ｄをそれぞれ収容するための凹部２１、２２を、上シェルハーフ・ユニット１５Ｕおよび下シェルハーフ・ユニット１５Ｄと共に示す平面図、図３は、上シェルハーフ・ユニット１５Ｕが凹部２１内に収容された状態を示す、図２の３−３線に沿った概略的断面図である。
【００３３】
下シェルハーフ・ユニット１５Ｄを収容する凹部２２の底面には、下シェルハーフ４の底面から突出するフレーム２、シャッターノブ７ｂおよび円筒体７Ｄａをそれぞれ収容する穴２５，２６，２７が形成されている。
【００３４】
上シェルハーフ３および下シェルハーフ４は、凹部２１，２２の底面に設けられた吸盤２８，２８によって凹部２１，２２の底面にそれぞれ真空吸着されるが、クリーニング動作を安定させるために、図２から明らかなように、上シェルハーフ・ユニット１５Ｕおよび下シェルハーフ・ユニット１５Ｄは、それぞれ上シャッターハーフ７Ｕおよび下シャッターハーフ７Ｄがそれぞれ上下シェルハーフ３、４の開口部６を閉塞する閉位置にある状態で凹部２１，２２内に収容される。
【００３５】
フレーム２は下シェルハーフ・ユニット１５Ｄ側に設けられ、かつ下シャッターハーフ７Ｄは、シャッタ７を閉位置に向かって付勢するコイルスプリング１６によって開口部６を閉塞した閉位置に保持され、上シェルハーフ・ユニット１５Ｕでは、上シャッターハーフ７Ｕが図示しないロック部材によって、開口部６を閉塞した閉位置に保持されている。
【００３６】
したがって、上シェルハーフ・ユニット１５Ｕおよび下シェルハーフ・ユニット１５Ｄを単に凹部２１，２２内に収容しただけでは、開口部６において、上シャッターハーフ７Ｕまたは下シャッターハーフ７Ｄが凹部２１または２２の底面と直接対向することになり、もしその位置に吸盤を設けて上シャッターハーフ７Ｕまたは下シャッターハーフ７Ｄを吸引すると、上シャッターハーフ７Ｕまたは下シャッターハーフ７Ｄの回転中心に関して反対側が浮き上がって、水平状態が保たれなくなる。そこで、凹部２１，２２の底面に、上記開口部６の形状に合わせた、平坦な上面を備えた所定の高さの例えば樹脂製の凸部２３，２４をそれぞれ設けて上シャッターハーフ７Ｕおよび下シャッターハーフ７Ｄを、それぞれが適正な高さに水平に保たれるように支持している。そして、これら凸部２３，２４の上面にはそれぞれ吸盤２８が設けられている。
【００３７】
上記凹部２１，２２は、支持台２０上に所定のピッチで複数対配列されており、上記クリーニングユニット３０も、クリーナヘッド内にワークの搬送ピッチの倍数で複数配列される。前後の装置との関係や本装置のエラー等により、支持台２０の搬送が停止した場合に、ライナー１３に対して過剰なクリーニングが行なわれると、ライナー１３を構成する糸がほつれたり、糸自身がダメージを受けることにより塵埃が増加する恐れがあるので、支持台２０の搬送が停止した場合には、クリーニングユニット３０がワークとワークとの間に位置するようにするのが好ましい。一定時間停止したときには、ブロワの回転が落とされ、クリーニングユニット３０が上昇せしめられる。
【００３８】
図４はクリーニングユニット３０の概略的断面図を示し、このクリーニングユニット３０には、一対の噴出ノズル３１，３１と、これら噴出ノズル３１，３１の中間に近接して配置された一つの吸引ノズル３２とを備えている。すなわち、クリーニングユニット３０の下端面には、噴出ノズル３１，３１および吸引ノズル３２が上シェルハーフ３および下シェルハーフ４の搬送方向に直交する方向に延びて形成され、中央に吸引ノズル３２のスリット状開口が設けられ、その左右両側にそれぞれ噴出ノズル３１，３１のスリット状開口が斜めに形成され、中央部に向けて加圧エアを噴出するようになっている。
【００３９】
噴出ノズル３１，３１の幅は２ｍｍ以下で、ライナー１３の表面に対し、３０〜５０度の範囲内で傾斜している。吸引ノズル３２の幅は３〜１０ｍｍの範囲内に設定されている。
【００４０】
両側の噴出ノズル３１，３１の開口に連通する加圧エア通路３３には、脈動生成部３４，３４が設置されて噴出エアに脈動が付与され、合流した加圧エア通路３３の上流には加圧エアを送給するエア供給パイプ３５が接続されて、外部の加圧源に連結されている。加圧源にはＨＥＰＡやＵＬＰＡ等の高性能エアフィルターを内蔵している。また、吸引ノズル３２の開口に連通する吸引エア通路３６にはエアを吸引するエア吸引パイプ３７が接続され、外部の減圧源に連結される。加圧源と減圧源とは、単一のブロワーユニットで兼用することもでき、兼用化によってブロワーは１台となり効率が向上する。その場合、温度上昇に伴う圧力低下を避けるため、フィードバック制御や冷却を行うとさらによい。
【００４１】
噴出ノズル３１から噴出されるエアは、風速が２０ｍ／秒以上となるよう圧力が設定され、また吸引ノズル３２による吸引圧力は０．５〜１０ｋＰａの範囲内に設定される。上記脈動生成部３４は、流路に障害物を設けることによって渦流による振動を生起させ、クリーニング能力をより向上させることができる。あるいは、音波によって超音波レベルの脈動を生じさせることも可能であり、その周波数は１０ｋＨｚ以上であることが好ましい。なお、電磁式あるいは回転式の弁等を高速で開閉することによっても脈動を生成させることができる。
【００４２】
図示は省略するが、このクリーニング装置全体はカバーで覆われ、ＨＥＰＡフィルタ等でクリーンにされたエアが上方からカバー内に供給され、下方に設けられた別の吸引手段からエアが吸引されることにより、エアナイフＡＮにより飛散した塵埃が外部に漏れないように構成されている。
【００４３】
以上の説明で、本発明によるライナーのクリーニング装置の構成およびその動作が明らかになったが、本発明によれば、各シェルハーフ・ユニット１５Ｕ，１５Ｄが、シェルハーフ３，４とシャッターハーフ７Ｕ，７Ｄとがそれぞれ個別に吸着固定される態様でライナー１３を上方に向けて支持する支持台２０を備えていることにより、各シャッターハーフ７Ｕ，７Ｄを傾くことなく水平に支持することができるから、エア噴出ノズル３１および吸引ノズル３２とライナー１３の表面との間隔が一定になり、これによって、クリーニングむらを生じたり、ライナー１３がダメージを受けたりすることを防止することができる。
【００４４】
また、シェルハーフ３，４が吸盤２８により支持台２０の凹部２１，２２内に吸着固定され、シャッターハーフ７Ｕ，７Ｄは、凹部２１，２２内に収容されたシェルハーフ３，４のアクセス用開口部６内に係入する凸部２３，２４上に吸盤２８により吸着固定されるから、シェルハーフ３，４およびシャッターハーフ７Ｕ，７Ｄを上方から押さえる押さえ部材等を設ける必要がなくなり、ライナー１３の一部が押さえ部材または保護部材等によって遮蔽されることによるクリーニング効率の低下を防止することもできる。
【００４５】
さらに、シェルハーフ・ユニット１５Ｕ，１５Ｄをそれぞれ凹部２１，２２内に吸着固定した支持台２０を搬送しつつライナー１３の表面に３ｍｍ以内に近接して細幅の加圧エアを斜めに吹き付ける噴出ノズル３１と、除去した塵埃を含むエアを吸引する吸引ノズル３２とによってライナー１３のクリーニングを行なうことにより、ライナー１３の表面のみでなく、ライナー１３の内部に保持されている繊維屑、粉体等の塵埃についても除去することができる。
【００４６】
なお、以上の実施例は「ｃｌｉｋ！（登録商標）」のためにクリーニング装置であるが、本発明はこれに限定されるものではなく、さらに小型の記録媒体カートリッジのライナーのクリーニングにも適用できるものである。また、不織布製のライナーで説明したが、織布、さらに多孔質シートやテフロン（登録商標）シート等で構成されたライナーであってもよい。
【図面の簡単な説明】
【００４７】
【図１】本発明によるライナーのクリーニング装置の原理的な説明図である。
【図２】支持台に形成されている、上シェルハーフ・ユニットおよび下シェルハーフ・ユニットをそれぞれ収容する凹部を、上シェルハーフ・ユニットおよび下シェルハーフ・ユニットと共に示す平面図である。
【図３】上シェルハーフ・ユニットが凹部内に収容された状態を示す、図２の３−３線に沿った概略的断面図である。
【図４】クリーニングユニットの概略的断面図である。
【図５】本発明のクリーニング装置が用いられる磁気ディスクカートリッジの斜視図である。
【図６】図６（ａ），（ｂ）は、図５の磁気ディスクカートリッジの、ロータリーシャッタが閉位置にある状態を示す平面図および底面図である。
【図７】図６（ｂ）の７−７線に沿った要部の拡大断面図である。
【図８】図８（ａ），（ｂ）は、図５の磁気ディスクカートリッジの、ロータリーシャッタが開位置にある状態を示す平面図および底面図である。
【符号の説明】
【００４８】
１    磁気ディスクカートリッジ
３    上シェルハーフ
４    下シェルハーフ
５    磁気ディスク
６    開口部
７    ロータリーシャッタ
７Ｕ    上シャッターハーフ
７Ｄ    下シャッターハーフ
１０    センターハブ
１３    ライナー
１５Ｕ    上シェルハーフ・ユニット
１５Ｄ    下シェルハーフ・ユニット
２０    支持台
２１，２２    凹部
２３，２４    凸部
２８    吸盤
３０    クリーニングユニット
３１    噴出ノズル
３２    吸引ノズル
【図１】
2006172599.tif 000003
【図２】
2006172599.tif 000004
【図３】
2006172599.tif 000005
【図４】
2006172599.tif 000006
【図５】
2006172599.tif 000007
【図６】
2006172599.tif 000008
【図７】
2006172599.tif 000009
【図８】
2006172599.tif 000010